(57)【要約】【課題】多機能の携帯端末において、ユーザが使用したい機能毎に電池使用量の割り振りを簡単かつ容易に行うことができる携帯端末を提供すること。【解決手段】表示画面１３０Ａは、電池アイコン１３５を表示する電池容量指定領域２１０と、各機能アイコン１３６を表示する各機能指定領域２２０と、指定された電池容量を、各機能指定領域２２０までドラッグする過程で確定する境界線である境界領域２３０と、を有する。ＧＵＩ操作判定部は、各機能指定領域２２０において、ドラッグされた電池容量を、各機能アイコン１３６のいずれかに割り当てたことを判定し、タッチパネル１４０から指がリリースされた時、各機能に割り当て完了と判定する。【選択図】図２
2012195657.tif 000002
【特許請求の範囲】
【請求項１】
タッチパネルと、前記タッチパネルと積層された表示部とを有する携帯端末であって、
前記表示部は、
電池容量を示す電池アイコンを表示する電池容量指定領域と、
前記電池容量指定領域に隣接し、電池容量を各機能に割り当てるための各機能アイコンを表示する各機能指定領域と、
前記電池容量指定領域において指定された電池容量が、前記各機能指定領域までドラッグする過程で確定された電池容量となる境界領域と、を有し、
ユーザの前記タッチパネルへのタッチ操作により指定された電池容量の位置情報を座標情報として受付けるＧＵＩ命令受付手段と、
前記ＧＵＩ命令受付手段から受け取る座標情報の示す座標が、前記電池アイコン、並びに前記各機能アイコンに重畳しているか否かを判定するＧＵＩ操作判定手段と、
前記ＧＵＩ操作判定手段で判定した結果に対して、所定の順番でＧＵＩ動作を順次実行するＧＵＩ実行手段と、を備え、
前記ＧＵＩ操作判定手段は、
前記電池容量指定領域において、ユーザが指タッチにより電池容量を指定したことを判定し、
ユーザがドラッグにより前記指定された電池容量を、前記境界領域を跨いで前記各機能指定領域にまで移動した時、前記指定された電池容量を確定すると共に、各機能指定状態に遷移することを判定し、
前記各機能指定領域において、ユーザがドラッグにより前記確定された電池容量を、前記各機能アイコンのいずれかに割り当てたことを判定し、
前記各機能指定領域から、ユーザの指がリリースされた時、指定された電池容量を、各機能に割り当て完了と判定する、
携帯端末。
【請求項２】
前記ＧＵＩ操作判定手段は、電池容量指定を判定した場合、前記タッチパネルを操作する指の動きに合わせて、指定する電池容量に対応する前記電池アイコンに、該電池容量のパーセント表示、又は色を含む効果を付加する、請求項１記載の携帯端末。
【請求項３】
前記ＧＵＩ操作判定手段は、前記ドラッグによる前記各機能の割り当てを判定した場合、前記タッチパネルを操作する指の動きに合わせて、状態を示すアイコンを付加する、請求項１記載の携帯端末。
【発明の詳細な説明】
【技術分野】
【０００１】
本発明は、高機能携帯端末などの携帯端末に関する。
【背景技術】
【０００２】
パーソナルコンピュータ、ＰＤＡ（Personal Digital Assistants）等の携帯情報端末、スマートフォンと呼ばれる高機能携帯端末など様々な情報機器にも、タッチパネル搭載型のディスプレイ画面が導入されてきている。ユーザは、タッチパネル画面に表示された文字若しくはアイコンを指で触れることにより、操作を行う。ユーザは、所望の処理を直感的な操作によって情報機器に実行させることができる。
【０００３】
特許文献１には、２つの領域とそれを区切る境界線が設定され、タッチ操作により文字列の選択を行い、タッチした文字列を、前記境界線を超えて変換領域までスライドしてリリースすると翻訳結果が表示される携帯端末が記載されている。
【０００４】
一方、複数の機能を持つ携帯端末では、各機能で使う電池容量を確実に確保する必要がある。
【０００５】
特許文献２には、電子機器の持つ各機能に対し電池容量を仮想的に分割し、各機能へ割り当てる電池電力管理装置が記載されている。特許文献２記載の装置は、各機能に対し電池容量を割り当てることで、各機能で使う電池容量を確実に確保して目的の機能が使えなくなることを防ぐものである。
【先行技術文献】
【特許文献】
【０００６】
【特許文献１】特開２０１０−１９１４９５号公報
【特許文献２】特開２００６−０８７２２８号公報
【発明の概要】
【発明が解決しようとする課題】
【０００７】
スマートフォンなどの機能が多様化した携帯端末にあっては、各機能に対して電池電力量を適切に管理することが求められている。
【０００８】
特許文献１記載の装置は、タッチパネルを使用して表示されたデータを変換する携帯端末であって電池電力管理方法については記載がない。
【０００９】
特許文献２記載の装置は、ユーザが、表示部に表示された各機能の電池容量を見ながらカーソルキー操作により各機能の電池容量を割り当てる構成であったので、カーソル操作による指定・選択と、実行キー等によるそれら操作の確定・変更・取消が非常に煩雑であるという課題があった。カーソル操作による指定等が煩雑であるので、ユーザは電池電力管理機能の使用を回避しがちとなり、その結果電池電力管理の実効が図れないという問題点がある。
【００１０】
本発明の目的は、多機能の携帯端末において、ユーザが使用したい機能毎に電池使用量の割り振りを簡単かつ容易に行うことができる携帯端末を提供することである。
【課題を解決するための手段】
【００１１】
本発明の携帯端末は、タッチパネルと、前記タッチパネルと積層された表示部とを有する携帯端末であって、前記表示部は、電池容量を示す電池アイコンを表示する電池容量指定領域と、前記電池容量指定領域に隣接し、電池容量を各機能に割り当てるための各機能アイコンを表示する各機能指定領域と、前記電池容量指定領域において指定された電池容量が、前記各機能指定領域までドラッグする過程で確定された電池容量となる境界領域と、を有し、ユーザの前記タッチパネルへのタッチ操作により指定された電池容量の位置情報を座標情報として受付けるＧＵＩ命令受付手段と、前記ＧＵＩ命令受付手段から受け取る座標情報の示す座標が、前記電池アイコン、並びに前記各機能アイコンに重畳しているか否かを判定するＧＵＩ操作判定手段と、前記ＧＵＩ操作判定手段で判定した結果に対して、所定の順番でＧＵＩ動作を順次実行するＧＵＩ実行手段と、を備え、前記ＧＵＩ操作判定手段は、前記電池容量指定領域において、ユーザが指タッチにより電池容量を指定したことを判定し、ユーザがドラッグにより前記指定された電池容量を、前記境界領域を跨いで前記各機能指定領域にまで移動した時、前記指定された電池容量を確定すると共に、各機能指定状態に遷移することを判定し、前記各機能指定領域において、ユーザがドラッグにより前記確定された電池容量を、前記各機能アイコンのいずれかに割り当てたことを判定し、前記各機能指定領域から、ユーザの指がリリースされた時、指定された電池容量を、各機能に割り当て完了と判定する、構成を採る。
【発明の効果】
【００１２】
本発明によれば、多機能の携帯端末において、ユーザが使用したい機能毎に電池使用量の割り振りを簡単かつ容易に行うことができる。
【図面の簡単な説明】
【００１３】
【図１】本発明の一実施の形態に係る携帯端末の構成を示すブロック図
【図２】上記実施の形態に係る携帯端末の各機能の電池容量割り当てＧＵＩ動作を説明する図
【図３】上記実施の形態に係る携帯端末の各機能の電池容量割り当てＧＵＩ動作を説明するフロー図
【発明を実施するための形態】
【００１４】
以下、本発明の実施の形態について図面を参照して詳細に説明する。
【００１５】
（実施の形態）
図１は、本発明の一実施の形態に係る携帯端末の構成を示すブロック図である。本実施の形態は、タッチパネルを備える携帯電話機、ＰＤＡ（Personal Digital Assistants：携帯情報端末）、携帯ゲーム機などの携帯機器に適用できる。
【００１６】
図１に示すように、携帯端末１００は、ＣＰＵ１１０と、メモリ１２０、ディスプレイ１３０、ディスプレイ制御部１３１、タッチパネル１４０、タッチパネル制御部１４１、通信部１５０、及び電源制御部１６０を備える。
【００１７】
ＣＰＵ１１０は、携帯端末全体を制御する制御部であり、特に携帯端末１００の各機能の電池容量割り当てＧＵＩ（Graphical User Interface）動作を実行する。
【００１８】
ＣＰＵ１１０は、ＧＵＩ命令受付部１１１と、ＧＵＩ操作判定部１１２と、タイマ１１３と、ＧＵＩ実行部１１４とを有する。
【００１９】
ＧＵＩ命令受付部１１１は、ユーザのタッチ操作により指定された電池容量の位置情報を座標情報としてＧＵＩ操作判定部１１２へ出力する。この座標情報と共に、指定された電池容量の識別情報が、ＧＵＩ操作判定部１１２へ出力される。ここで、入力デバイスは、ディスプレイ１３０と表裏一体となって携帯端末１００に実装されるタッチパネル１４０である。
【００２０】
ＧＵＩ操作判定部１１２は、ＧＵＩ命令受付部１１１から受け取る座標情報の示す座標が、電池アイコン１３５（図２参照）、並びに各機能アイコン１３６（ＡＰＬ１，ＡＰＬ２，ＡＰＬ３，ＡＰＬ４）（図２参照）に重畳しているか否かを判定する。すなわち、ＧＵＩ操作判定部１１２は、電池アイコン１３５又は各機能アイコン１３６内に、ＧＵＩ命令受付部１１１から受け取る座標情報の示す座標が入っているか否かを判定する。この判定は、所定の時間間隔で繰り返し行われる。
【００２１】
タイマ１１３は、ＧＵＩ操作判定部１１２にて電池容量指定領域２１０又は各機能指定領域２２０（図２参照）内にＧＵＩ命令受付部１１１から受け取る座標情報の示す座標が入っていると判定されたタイミングから、その指定領域から外れたと判定されるタイミングまでの経過時間をカウントする。この経過時間は、ＧＵＩ操作判定部１１２が指定領域ごとに管理する。
【００２２】
ＧＵＩ実行部１１４は、ＧＵＩ操作判定部１１２で判定した結果に対して、所定の順番でＧＵＩ動作を順次実行する。
【００２３】
メモリ１２０は、各種処理のプログラムを収めたＲＯＭ、ＲＡＭ、電気的に書換可能な不揮発性メモリであるＥＥＰＲＯＭ（electrically erasable programmable ROM）等から構成される。メモリ１２０は、装置全体の制御を行うＣＰＵによりプログラム格納用、情報処理実行用として使用される。また、不揮発性メモリには、端末の番号や名前などの端末固有の端末情報が記憶されている。メモリ１２０は、ＣＦカードやＳＤカード、メモリスティックなどの外部メモリを含む。
【００２４】
ディスプレイ１３０は、ＬＣＤディスプレイ又は有機ＥＬ（Organic Electro-Luminescence）ディスプレイ等で構成され、受信した情報の内容やコンテンツ等を表示する。ディスプレイ１３０は、携帯端末１００の各機能の電池容量割り当てＧＵＩ動作に対応するアイコンを含むＧＵＩ操作画面を表示する。
【００２５】
ディスプレイ制御部１３１は、ディスプレイ１３０の表示を制御する各ドライバ等である。
【００２６】
タッチパネル１４０は、ディスプレイ１３０の表示画面１３０Ａ（図２参照）内で、任意の位置を指示するためのポインティングデバイスである。タッチパネル１４０は、ディスプレイ１３０の表示画面１３０Ａ上の略全面を覆うタッチ領域２００を有する。なお、図２（後述）では、ディスプレイ１３０の表示画面１３０Ａと、タッチパネル１４０のタッチ領域２００とは重なって示されている。タッチパネル１４０は、ユーザが上面を指で押したり、スライドしたり、離したりすることにより各操作を検出する。
【００２７】
タッチパネル制御部１４１は、タッチパネル１４０により検出されたタッチ操作の位置を特定し、操作された位置の座標データをＣＰＵ１１０に出力する。
【００２８】
タッチパネル１４０及びタッチパネル制御部１４１は、ユーザによるデータ入力や設定、各種機能の指示を行うためのＧＵＩ（Graphical User Interface）ボタンとしての機能を有する。
【００２９】
上記ディスプレイ１３０は、ＧＵＩを表示するための表示部を構成し、上記タッチパネル１４０は、ＧＵＩ操作を行うための入力部を構成する。また、ＣＰＵ１１０は、携帯端末１００の各機能の電池容量割り当てＧＵＩ動作を実行するための制御部である。
【００３０】
通信部１５０は、基地局に対して無線で通信する。
【００３１】
電源制御部１６０は、Ｌｉイオンなどの２次電池の電力を各機能へ所定の電源電圧で供給する。
【００３２】
以下、上述のように構成された携帯端末１００の動作について説明する。
【００３３】
図２は、携帯端末１００の各機能の電池容量割り当てＧＵＩ動作を説明する図である。
【００３４】
図２（ａ）−（ｅ）に示すように、ディスプレイ１３０の表示画面１３０Ａ上には、タッチパネル１４０が配置されている。ユーザは、表示画面１３０Ａを視認すると共に、指によりタッチパネル１４０へのＧＵＩ操作が可能である。
【００３５】
タッチパネル１４０は、各機能の電池容量割り当てＧＵＩ動作プログラムが起動した場合、表示画面１３０ＡのＧＵＩ表示に対応して、以下のＧＵＩ機能に遷移する。
【００３６】
タッチパネル１４０は、タッチ領域２００のうち、電池アイコン１３５上のタッチ操作による電池容量指定領域２１０と、各機能アイコン１３６上のタッチ操作による各機能指定領域２２０と、電池容量指定領域２１０と各機能指定領域２２０との境界領域２３０とを有する。
【００３７】
電池容量指定領域２１０は、表示された電池アイコン１３５に対して、タッチ操作により電池容量を指定する容量指定領域である。
【００３８】
各機能指定領域２２０は、境界領域２３０通過により確定した電池容量を、表示された各機能アイコン１３６の一つに割り当てる割り当て領域である。
【００３９】
境界領域２３０は、電池容量指定領域２１０において指定された電池容量を、各機能指定領域２２０までドラッグする過程で確定する境界線である。
【００４０】
上記電池容量指定領域２１０、各機能指定領域２２０及び境界領域２３０は、タッチ領域２００上で互いに隣接配置されていることも特徴の一つである。
【００４１】
すなわち、電池容量指定領域２１０は、四角形状のタッチ領域２００のうち、左側略１／３の領域であり、その長方形領域の略全面に電池アイコン１３５が表示されている。各機能指定領域２２０は、電池容量指定領域２１０に右側、すなわち電池アイコン１３５の側面に隣接する略２／３の領域であり、各機能アイコン１３６（ＡＰＬ１，ＡＰＬ２，ＡＰＬ３，ＡＰＬ４）が表示されている。境界領域２３０は、電池容量指定領域２１０と各機能指定領域２２０との間の境界線（図２破線参照）である。
【００４２】
このような配置により、ユーザは、タッチ操作により電池容量を指定した後、タッチした指を離すことなく一連の流れにより、電池容量の確定、そして確定した電池容量の各機能への割り当てのＧＵＩを実現することができる。
【００４３】
ユーザは、電池容量指定領域２１０に表示された電池アイコン１３５に触れる（指でタッチする）ことにより、電池容量を指定することができる。
【００４４】
ユーザは、指タッチで指定した電池容量を、境界領域（境界線）２３０を跨いで各機能指定領域２２０にまでドラッグすることにより、電池容量指定領域２１０で指定した電池容量を境界領域２３０上で確定すると共に、各機能指定状態に遷移することができる。
【００４５】
ユーザは、境界領域２３０を跨ぐことで確定した電池容量を、各機能指定領域２２０上に表示された所望の各機能アイコン１３６にドラッグすることにより、指定した電池容量を所望の機能に割り当てることができる。
【００４６】
なお、これら領域の配置、各領域の大きさ及び位置は、一例であり、本実施の形態に限定されるものではない。また、電池アイコン、各機能アイコンの形状・個数も一例である。
【００４７】
以下では、図２乃至図３を用いて、携帯端末１００の動作について詳細に説明する。基本的には、図２を参照しつつ図３のフロー図に沿って説明される。
【００４８】
図３は、携帯端末１００の各機能の電池容量割り当てＧＵＩ動作を説明するフローチャートである。図中Ｓは、フローの各ステップを示す。
【００４９】
まず、図２（ａ）に示すように、ユーザはタッチパネル１４０のタッチ領域２００の電池容量指定領域２１０に表示された電池アイコン１３５に指１でタッチすることで、電池容量の指定を開始する。
【００５０】
次に、図２（ｂ）に示すように、ユーザはタッチパネル１４０のタッチ領域２００の電池容量指定領域２１０に表示された電池アイコン１３５上を指１でドラッグすることで、電池容量を指定する。図２（ｂ）では、電池アイコン１３５上の電池容量のうち、約４０％を指定した状態が示されている（同図ハッチング参照）。
【００５１】
このとき、ステップＳ１で、ＧＵＩ命令受付部１１１は、タッチパネル制御部１４１を介してユーザのタッチ操作を検出する。ＧＵＩ操作判定部１１２は、現在、携帯端末１００の各機能の電池容量割り当てＧＵＩ動作モードにおいて、電池容量を指定したか否かを判定し、ＧＵＩ動作選択モードにおいて電池容量を指定した場合は、以降の処理を続ける。
【００５２】
一方、ＧＵＩ動作モードにおいて電池容量を指定していない場合（ステップＳ１のＮｏ）には、ＧＵＩ命令受付部１１１は、次のタッチ操作を検出するまで、待機する（ステップＳ１）。なお、ＧＵＩ動作選択モードでない状態とは、例えば、タッチ操作画面に対しユーザが一定時間以上操作をしなかった等の理由で、操作ロックがかかってしまった状態である。
【００５３】
以上述べたタッチ操作は、電池容量指定領域２１０において行われる。
【００５４】
次に、図２（ｃ）に示すように、ユーザは、電池容量指定領域２１０において指タッチで指定した電池容量（図２（ｂ）ハッチング参照）を、境界領域（境界線）２３０を跨いで各機能指定領域２２０にまでドラッグする。タッチ操作により指定した電池容量が境界領域２３０を超えた際、電池容量が設定された状態であるステータスを示す状態アイコン１３７（例えばバケツ形状や丸形状）が、指タッチ位置に表示される。また、上記確定に伴い、電池容量指定領域２１０の指定した電池容量（図２（ｂ）ハッチング参照）には、おおよその電池容量を示す％表示（ここでは４０％）が表示される。
【００５５】
このように、電池容量指定領域２１０において指タッチで指定された電池容量が、境界領域（境界線）２３０を超えて各機能指定領域２２０に移動した時、電池容量の確定と、次の各機能選択の開始と、状態アイコン１３７の表示が行われることも、携帯端末１００の各機能の電池容量割り当てＧＵＩの特徴の一つである。これにより、ユーザは、電池容量指定領域２１０で指定した電池容量を境界領域２３０上で確定すると共に、各機能指定状態に遷移することを直感的に知ることができる。
【００５６】
このとき、ステップＳ２で、ＧＵＩ命令受付部１１１は、タッチパネル制御部１４１を介してユーザのドラッグ操作を検出する。ＧＵＩ操作判定部１１２は、電池容量指定領域２１０において指タッチで指定された電池容量が、境界領域２３０を超えて各機能指定領域２２０に遷移したか否かを判定する。
【００５７】
電池容量指定領域２１０から各機能指定領域２２０に遷移した場合は、ステップＳ３で、ＧＵＩ操作判定部１１２は、電池容量指定領域２１０において指タッチで指定された電池容量を、各機能に割り当てる電池容量として確定する。
【００５８】
次に、図２（ｄ）に示すように、ユーザは、各機能指定領域２２０において確定した電池容量（図２（ｃ）（ｄ）の状態アイコン１３７参照）を、所望の各機能指定領域２２０上に表示された所望の各機能アイコン１３６（ＡＰＬ１，ＡＰＬ２，ＡＰＬ３，ＡＰＬ４）にドラッグする。これにより、ユーザは指定した電池容量を所望の機能に割り当てることができる。図２（ｄ）では、各機能指定領域２２０において確定した電池容量を、各機能アイコン１３６のＡＰＬ２にドラッグし，図２（ｅ）に示すように、各機能アイコン１３６のＡＰＬ２から指１を離す（リリースする）でタッチすることで、ユーザは指定した電池容量を所望の携帯端末１００の機能ＡＰＬ２に割り当てることができる。また、上記割り当て完了に伴い、状態アイコン１３７の表示は消え、また電池容量指定領域２１０の指定した電池容量（図２（ｂ）ハッチング参照）の％表示も消える。ユーザは、状態アイコン１３７及び電池容量の％表示が消えることで、割り当てが完了したことを知ることができる。
【００５９】
このとき、ステップＳ４で、ＧＵＩ命令受付部１１１は、タッチパネル制御部１４１を介してユーザのドラッグ操作及びリリースを検出する。ＧＵＩ操作判定部１１２は、各機能指定領域２２０において指定された機器（ここではＡＰＬ２）から指１が離されたか（リリースされたか）否かを判定する。
【００６０】
指定機器ＡＰＬ２から指１が離された場合は、ステップＳ５で、ＧＵＩ操作判定部１１２は、電池容量指定領域２１０において指タッチで指定された電池容量を、携帯端末１００の機能ＡＰＬ２に割り当て完了として確定して本フローを終了する。
【００６１】
以上のように、本実施の形態によれば、携帯端末１００は、タッチパネル１４０と、タッチパネル１４０と積層されたディスプレイ１３０とを有する。ディスプレイ１３０は、携帯端末１００の各機能の電池容量割り当てＧＵＩ動作モード時、電池容量を指定する電池アイコン１３５を表示する電池容量指定領域２１０と、電池容量指定領域２１０に隣接し、電池容量を各機能に割り当てる各機能アイコン１３６を表示する各機能指定領域２２０と、電池容量指定領域２１０において指定された電池容量を、各機能指定領域２２０までドラッグする過程で確定する境界線である境界領域２３０と、を有する。
【００６２】
また、携帯端末１００のＣＰＵ１１０は、ユーザのタッチパネル１４０へのタッチ操作により指定された電池容量の位置情報を座標情報として受付けるＧＵＩ命令受付部１１１と、ＧＵＩ命令受付部１１１から受け取る座標情報の示す座標が、電池アイコン１３５、並びに各機能アイコン１３６に重畳しているか否かを判定するＧＵＩ操作判定部１１２と、ＧＵＩ操作判定部１１２で判定した結果に対して、所定の順番でＧＵＩ動作を順次実行するＧＵＩ実行部１１４と、を備える。
【００６３】
さらに、ＧＵＩ操作判定部１１２は、電池容量指定領域２１０において、電池容量が指定されたことを判定し、指定された電池容量が境界領域２３０を跨いで各機能指定領域２２０にまでドラッグした時、該指定された電池容量を確定すると共に、各機能指定状態に遷移することを判定する。そして、ＧＵＩ操作判定部１１２は、各機能指定領域２２０において、ユーザがドラッグにより確定された電池容量を、各機能アイコンのいずれかに割り当てたことを判定し、各機能指定領域２２０から、ユーザの指がリリースされた時、指定された電池容量を、各機能に割り当て完了と判定する。
【００６４】
以上の構成により、ユーザは、電池容量指定領域２１０において、タッチ操作により電池アイコン１３５上をドラッグして電池容量を指定する。そして、タッチした指を離すことなく、各機能指定領域２２０に移動すれば、これで指定した電池容量が確定する。このとき、電池容量が設定された状態であるステータスを示す状態アイコン１３７が、指タッチ位置に表示されるので、ユーザは電池容量が確定していることを一見して知ることができる。ユーザは、このまま各機能指定領域２２０上で、タッチした指を所望の各機能アイコン１３６上に移動し、指をタッチパネル１４０からリリースすれば、指定された電池容量の、各機能への割り当てが完了する。本実施の形態では、図２（ａ）−（ｅ）に示すように、ユーザから見ると、図２（ａ）の各機能指定領域２２０の電池アイコン１３５を指で下から上になぞり、指定後には、そのまま指を右側にドラッグするだけという一連の流れにより、電池容量の確定、そして確定した電池容量の各機能への割り当てを実現することができる。極めて操作性の良いＧＵＩにより確定した電池容量の各機能への割り当てを実現することができる。
【００６５】
以上の説明は本発明の好適な実施の形態の例証であり、本発明の範囲はこれに限定されることはない。例えば、携帯端末として携帯電話機を、被制御機器としてテレビ受信機に適用した例について説明しているが、携帯電話機に限らず情報通信機能を持ったＰＤＡ等の携帯情報端末、パーソナルコンピュータ又はその融合された装置に適用可能である。
【００６６】
また、図２のＧＵＩ表示例は一例であり、どのような表示形態でも構わない。
【００６７】
また、本実施の形態では携帯端末という名称を用いたが、これは説明の便宜上であり、携帯情報装置、電子機器等であってもよいことは勿論である。
【００６８】
さらに、上記携帯端末を構成する各部、例えばＧＵＩ操作判定部等の種類、数及び接続方法などは前述した実施の形態に限られない。
【００６９】
また、以上説明した携帯端末は、これら携帯端末を機能させるためのプログラムでも実現される。このプログラムはコンピュータで読み取り可能な記録媒体に格納されている。
【産業上の利用可能性】
【００７０】
本発明に係る携帯端末は、タッチパネルと、タッチパネルと積層された表示部とを有する携帯端末全般に適用して有用である。
【符号の説明】
【００７１】
１００  携帯端末
１１０  ＣＰＵ
１１１  ＧＵＩ命令受付部
１１２  ＧＵＩ操作判定部
１１３  タイマ
１１４  ＧＵＩ実行部
１２０  メモリ
１３０  ディスプレイ
１３０Ａ  表示画面
１３１  ディスプレイ制御部
１３５  電池アイコン
１３６  各機能アイコン
１３７  状態アイコン
１４０  タッチパネル
１４１  タッチパネル制御部
１５０  通信部
１６０  電源制御部
２００  タッチ領域
２１０  電池容量指定領域
２２０  各機能指定領域
２３０  境界領域
【図１】
2012195657.tif 000003
【図２】
2012195657.tif 000004
【図３】
2012195657.tif 000005